(57)【特許請求の範囲】
【請求項１】
チャイルドシート本体に孔を形成するとともに、該孔に臨ませてシートベルトの締結用クリップと、前記締結用クリップの両側にベルトガイドと、を固定設置し、
前記シートベルト締結用クリップは、背板から垂直方向へ延設された３枚の舌片を有し、その中央の舌片は、前記背板と対向して配置された前板に連続し、両端の舌片は自由端部を有し、これにより２枚重ねの前記シートベルトを前記シートベルト締結用クリップの前記両端の舌片の自由端部から前記舌片の下へ潜り込ませることができ、かつ前記ベルトガイドは前記シートベルト締結用クリップの舌片との高さ位置調整をして前記シートベルトの張りを調節するものであることを特徴とするチャイルドシート。
【請求項２】
チャイルドシート本体に孔を形成するとともに、該孔に臨ませてシートベルトの締結用クリップと、前記締結用クリップの両側にベルトガイドと、を固定設置し、
前記シートベルト締結用クリップは、背板側と前板側からそれぞれ複数の舌片を中央部に向けて対向させて延設し、対向する舌片中間に間隙を形成し、その間隙を２枚重ねの前記シートベルトを折り曲げることによって通して、その後、前記シートベルトを広げて前記舌片の裏側に接触係止させるようにするものであり、かつ前記ベルトガイドは前記シートベルト締結用クリップの舌片との高さ位置調整をして前記シートベルトの張りを調節するものであることを特徴とするチャイルドシート。
【発明の詳細な説明】
【０００１】
【発明の属する技術分野】
本発明は、チャイルドシートに関するもので、詳しくは、チャイルドシートを車両の座席に取付けるための構造に関するものである。
【０００２】
【従来の技術】
チャイルドシート１は、図７に示したように、幼児を収容するチャイルドシート本体（以下、シート本体という）２と該シート本体２を車両の座席に着座させ、該座席にシート本体２を適宜な姿勢で保持させる台座３とによって構成されており、シート本体２は回転自在、傾斜自在または一体的に台座３に支持される。
そして、チャイルドシート１は、図６に示したように、台座３の両側に貫設させたベルト挿通孔３ａに車両のシートベルト４を挿通させ、該シートベルト４のタングプレート５をバックル６に装着させることによって、車両の座席に保持させている。
ところで、上記シートベルト４が２点式（ラップベルト）の場合には、チャイルドシート１は車両の座席に確実に保持されるが、図６に示したような３点式の場合には、タングプレート５から肩側に位置するベルト部分４ａにはリトラクタが設けられているため、ベルト部分４ａが緩む虞れがある。
そこで、３点式のシートベルトを使用する場合には、タングプレート５から肩側に位置するベルト部分４ａと脚部側に位置するベルト部分４ｂとをクリップ７によって締結し、それによって、実質的に２点式と同様にすることが行われている。
【０００３】
【発明が解決しようとする課題】
上記したように、チャイルドシート１を３点式のシートベルトで車両の座席に保持させる際に使用されるクリップ７は、チャイルドシート１とは別体で形成されているため、紛失し易いばかりでなく、一方の手でベルト部分４ａ，４ｂを掴み、他方の手にクリップ７を持って、ベルト部分４ａ、４ａに装着しなければならず、しかもその作業は特に狭い箇所で行われるため、非常に煩雑である。
【０００４】
そこで、本発明の目的は、上記状況に鑑みてなされたもので、クリップを紛失する虞れがなく、しかも、クリップの装着作業が容易なチャイルドシートを提供することにある。
【０００５】
【課題を解決するための手段】
上記目的達成のため、請求項１記載のチャイルドシートの発明は、チャイルドシート本体に孔を形成するとともに、該孔に臨ませてシートベルトの締結用クリップと、前記締結用クリップの両側にベルトガイドと、を固定設置し、前記シートベルト締結用クリップは、背板から垂直方向へ延設された３枚の舌片を有し、その中央の舌片は、前記背板と対向して配置された前板に連続し、両端の舌片は自由端部を有し、これにより２枚重ねの前記シートベルトを前記シートベルト締結用クリップの前記両端の舌片の自由端部から前記舌片の下へ潜り込ませることができ、かつ前記ベルトガイドは前記シートベルト締結用クリップの舌片との高さ位置調整をして前記シートベルトの張りを調節するものであることを特徴としている。
また、請求項２記載のチャイルドシートの発明は、チャイルドシート本体に孔を形成するとともに、該孔に臨ませてシートベルトの締結用クリップと、前記締結用クリップの両側にベルトガイドと、を固定設置し、前記シートベルト締結用クリップは、背板側と前板側からそれぞれ複数の舌片を中央部に向けて対向させて延設し、対向する舌片中間に間隙を形成し、その間隙を２枚重ねの前記シートベルトを折り曲げることによって通して、その後、前記シートベルトを広げて前記舌片の裏側に接触係止させるようにするものであり、かつ前記ベルトガイドは前記シートベルト締結用クリップの舌片との高さ位置調整をして前記シートベルトの張りを調節するものであることを特徴としている。
【０００６】
本発明のチャイルドシートによれば、シートベルトの締結用クリップが一体に配設されているので、紛失の虞れはなく、該クリップを座部の前部に形成した孔から、即ちチャイルドシートの前方からシートベルトの締結が行え、しかもシートベルトのクリップへの装着作業をベルトを両手で掴んで行えるので、作業性が極めてよい。また、該クリップを前記孔内の前記チャイルドシート本体の左右対称の中央位置に固定設置したので、チャイルドシートをシートの進行方向右側においても左側においても、同じように取り扱うことができる。
【０００７】
【発明の実施の形態】
以下、本発明に係るチャイルドシートを図面を参照して詳細に説明する。
【０００８】
図１は本発明に係るチャイルドシートの全体を示した斜視図で、チャイルドシートを車両の座席に保持させた状態を示しており、図２はその要部であるシートベルトの締結装置の斜視図，図３はその締結装置の分解斜視図，図４（ａ）はその締結装置の平面図，図４（ｂ）は図４（ａ）におけるＡ−Ａ線断面図である。
【０００９】
図１に示したように、チャイルドシート１０は、幼児を収容するチャイルドシート本体（以下、シート本体という）１１と該シート本体１１を車両の座席に着座させ、該座席にシート本体１１を適宜な姿勢で保持させる台座１２とによって構成されており、シート本体１１は回転自在、傾斜自在または一体的に台座１２に支持される。
【００１０】
シート本体１１の座部１１ａと背部１１ｂとの境界には孔１３が形成されている。この孔１３の側壁には、ヒンジによって連結された蓋１４が取付けられている。この蓋１４にはスプリング１５によって付勢された爪１６が配設され、該爪１６によって蓋１４が孔１３を閉成した状態にロックされる。
【００１１】
上記孔１３の内部下方には、シートベルトの締結装置２０が配設されている。
このシートベルトの締結装置２０は、図２に示したように、シートベルト締結用クリップ２１を中央に位置させ、その左右にベルトガイド２２が位置している。このベルトガイド２２には、ベルト張り調節部２２ａ、２２ａと、その左右外側にガイド部２２ｂ、２２ｂが形成されている。
シートベルト締結用クリップ２１は、図３に示したように、背板２１ａから垂直方向へ延設された３枚の舌片２１ｂ、２１ｃ、２１ｃを有しており、その中央の舌片２１ｂは、背板２１ａと対向して配置された前板２１ｄに連続している。また、背板２１ａと前板２１ｄの下端は、互いに垂直内方方向へ曲げられて底２１ｅ、２１ｅを形成している。
また、ベルトガイド張り調節部２２ａは、一端部をコ字状に形成して構成されており、シートベルト締結用クリップ２１の舌片２１ｃとの高さ位置調整をして（図４（ａ）参照）、シートベルト４の張りを調節している。これにより、シートベルト４の緩みをより確実に防止することができる。さらに、ガイド部２２ｂは、背板２２ｃと該背板２２ｃの上端を垂直に折り曲げて形成した舌片２２ｄとによって構成されている。
また、ベルトガイド２２の他端部にはコ字状に形成され、シート本体１１の側縁に嵌着される取付け部２２ｅが形成されている。そして、この取付け部２２ｅには車両のシートベルト４を案内する切欠き２２ｆが形成されている。
【００１２】
このように形成されたベルトガイド２２は、図４（ｂ）に示したように、その一端部をビス２３、２３によって基台２４の両端部上面に締結し、それによって一体化される。そして、ベルトガイド２２の他端の取付け部２２ｅ、２２ｅは、台座１２の側縁に嵌着され、ビス２５、２５によってシート本体１１に締結される。
また、シートベルト締結用クリップ２１は、その底板２１ｅを基台２４の所定位置に嵌めこ込まれた状態でビス（図示でず）に固定されている。さらに、シート本体１１の底板１１ｃにはリクライニング方向に長いスリット１１ｄが穿設され、このスリット１１ｄに遊挿されたビス２６の先端が基台２４に螺着されている。これにより、シート本体１１のリクライニングが可能となる。
【００１３】
このようにシートベルトの締結装置２０が配設されたチヤイルドシート１０では、図１に示したように、車両のシートベルト４のタングプレート５をチャイルドシート１０の一方の側部開口から挿入し、シートベルトの締結装置２０を経て、シート本体１１の他方の側部開口から取り出して、座席のバックル６に係合させる。その間またはその後に、シートベルト４の肩側に位置するベルト部分４ａと脚部側に位置するベルト部分４ｂとが重なりあった部分を、図４（ａ）、（ｂ）に示したように、シートベルト締結用クリップ２１の舌片２１ｅ、２１ｅの自由端部から舌片２１ｃ、２１ｃの下へ潜り込ませ、さらにベルトガイド２２、２２の舌片２２ｄ、２２ｄの下へ潜り込ませる。
【００１４】
このように装着させたシートベルト４は、図４（ｂ）に示したように、シートベルト４の肩側に位置するベルト部分４ａと脚部側に位置するベルト部分４ｂとが一体的に拘束される。したがって、チャイルドシート１０は、実質的に脚部側に位置するベルト部分４ｂによって座席に保持されることになる。
【００１５】
このようにして、シートベルト４をシートベルトの締結装置２０に装着した後は、蓋１４で孔１３を閉成する。その際、爪１６が孔１３の周縁部下面に係合し、蓋１４はその状態に係止される。
【００１６】
なお、上記実施の形態では、シートベルト締結用クリップ２１、ベルトガイド２２、２２、ベルト張り調節部２２ａ、２２ａ等によって構成しているが、互いに重ね合わせたシートベルト４の肩側に位置するベルト部分４ａと脚部側に位置するベルト部分４ｂとが一体的に拘束されればよく、シートベルト締結用クリップ２１のみであってもよい。
また、上記実施の形態で示したシートベルト締結用クリップ２１は、舌片２１ｃの先端を自由端にしてシートベルト４の肩側に位置するベルト部分４ａと脚部側に位置するベルト部分４ｂとを重ねた状態で、舌片２１ｃ、２１ｃの下側へもぐり込ませ得るように形成させているが、例えば、図５に示した変形例のように、背板２１ａ側と前板２１ｄ側からそれぞれ舌片２１ｃ、２１ｃを中央部に向けて対向させて延設し、対向する舌片２１ｃ、２１ｃの中間に間隙Ｔ、Ｔを形成し、その間隙Ｔ、Ｔを２枚重ねのシートベルト４を折り曲げることによって通して、その後、シートベルト４を広げて舌片２１ｃ、２１ｃの裏側に接触係止させるようにしてもよい。
この場合には、ベルトの長手方向と直交する方向でのズレを有効に防止することができる。
【００１７】
さらには、図６に示すように、シートベルト締結用クリップ２１の舌片２１ｂ、２１ｂの向きを逆にすることにより、ベルトガイド２２の舌片２２ｄ、２２ｄの向きとの相互関係により、ベルトの長手方向と直交する方向でのズレを有効に防止するようにしても良い。
【００１８】
【発明の効果】
以上説明したように、本発明に係るチャイルドシートでは、チャイルドシート本体に孔を形成するとともに、該孔に臨ませてシートベルトの締結用クリップを固定設置している。
本発明のチャイルドシートによれば、シートベルトの締結用クリップが一体に配設されているので、紛失の虞れはなく、しかもシートベルトのクリップへの装着作業を行なう際にベルトを両手で掴んで行えるので、作業性が極めてよい。
【図面の簡単な説明】
【図１】本発明に係るチャイルドシートの全体を示した斜視図で、チャイルドシートを車両の座席に保持させた状態を示している。
【図２】本発明に係るチャイルドシートの要部であるシートベルトの締結装置の一実施の形態を示した斜視図である。
【図３】図２に示した締結装置のそれぞれの構成部品を示した分解斜視図である。
【図４】図２に示した締結装置の平面図（図４（ａ））および該図４（ａ）におけるＡ−Ａ線断面図（図４（ｂ））である。
【図５】本発明に係るチャイルドシートの要部であるシートベルトの締結装置のクリップの変形例を示した斜視図である。
【図６】本発明に係るチャイルドシートの要部であるシートベルトの締結装置のクリップの別の変形例を示した斜視図である。
【図７】従来のチャイルドシートを車両の座席に保持させた状態を示した概念的な斜視図である
【符号の説明】
１  チャイルドシート
２  チャイルドシート本体
３  台座
４          シートベルト
４ａ        肩側に位置するベルト部分
４ｂ        脚部側に位置するベルト部分
５          タングプレート
６          バックル
７  クリップ７
１０          チャイルドシート
１１          チャイルドシート本体
１１ａ        座部
１１ｂ        背部
１１ｃ        底板
１２          台座
１３          孔
１４          蓋
１５          スプリング
１６          爪
２０          シートベルトの締結装置
２１          シートベルト締結用クリップ
２１ａ        背板
２１ｂ        舌片
２１ｃ        底板
２１ｄ        前板
２２          ベルトガイド
２２ａ        ベルト張り調節部
２２ｂ        ガイド部
２２ｃ        背板
２２ｄ        舌片
２２ｅ        取付け部
２２ｆ        切欠き
２３、２５、２６  ビス
２４          基台
Ｔ            間隙
【図１】
0004294177.tif 000002
【図２】
0004294177.tif 000003
【図３】
0004294177.tif 000004
【図４】
0004294177.tif 000005
【図５】
0004294177.tif 000006
【図６】
0004294177.tif 000007
【図７】
0004294177.tif 000008